(57)【要約】【課題】突然に外部電源から電力が得られなくなった場合でも、表示パラメータを保持することが可能なプロジェクタを提供する。【解決手段】本発明のプロジェクタは、画像の投写表示に用いる光源と、表示パラメータを格納する表示パラメータ格納部と、表示パラメータ格納部より読み出された表示パラメータを一時的に保持する表示パラメータ保持部と、外部から得られる電力を少なくとも表示パラメータ保持部に供給する電力供給部と、光源から発せられる熱を用いて電力を生成する熱起電力生成部と、表示パラメータ保持部に保持された表示パラメータを参照して投写表示の制御を行うコントロール部とを備える。外部から前記電力を得られない場合には、電力供給部は、熱起電力生成部により生成された電力を表示パラメータ保持部に供給する。【選択図】        図１
2004317774.tif 000002
【特許請求の範囲】
【請求項１】
画像を投写表示するプロジェクタであって、
前記画像の投写表示に用いる光源と、
表示パラメータを格納する表示パラメータ格納部と、
前記表示パラメータ格納部より読み出された前記表示パラメータを一時的に保持する表示パラメータ保持部と、
外部から得られる電力を少なくとも前記表示パラメータ保持部に供給する電力供給部と、
前記光源から発せられる熱を用いて電力を生成する熱起電力生成部と、
前記表示パラメータ保持部に保持された前記表示パラメータを参照して投写表示の制御を行うコントロール部とを備え、
外部から前記電力を得られない場合には、前記電力供給部は、前記熱起電力生成部により生成された電力を前記表示パラメータ保持部に供給することを特徴とするプロジェクタ。
【請求項２】
前記表示パラメータ保持部に保持されている前記表示パラメータは、外部からの指示に従って更新されることを特徴とする請求項１記載のプロジェクタ。
【請求項３】
前記コントロール部は、所定条件の下で、前記表示パラメータ保持部に保持された前記表示パラメータを前記表示パラメータ格納部に格納し、
外部から前記電力が得られない場合には、前記電力供給部は、前記熱起電力生成部により生成された前記電力を前記表示パラメータ格納部及び前記コントロール部に供給することを特徴とする請求項１又は２記載のプロジェクタ。
【請求項４】
前記光源を冷却する冷却部を備え、
外部から前記電力が得られない場合には、前記電力供給部は、前記熱起電力生成部により生成された電力を前記冷却部へ供給することを特徴とする請求項１ないし請求項３のいずれかに記載のプロジェクタ。
【請求項５】
外部から前記電力を得ているかどうかを報知する電力供給状態報知部を備え、
外部から前記電力が得られない場合には、前記電力供給部は、前記熱起電力生成部により生成された前記電力を前記電力供給状態報知部へ供給し、その電力を用いて、前記電力供給状態報知部は外部からの前記電力を得ていないことを報知することを特徴とする請求項１ないし請求項４のいずれかに記載のプロジェクタ。
【請求項６】
前記熱起電力生成部は、ゼーベック素子を備えたことを特徴とする請求項１ないし請求項５のいずれかに記載のプロジェクタ。
【請求項７】
画像を投写表示するプロジェクタであって、
前記画像の投写表示に用いる光源と、
外部から得られる電力を供給する電力供給部と、
外部から電力を得ているかどうかを報知する電力供給状態報知部と、
前記光源から発せられる熱を用いて電力を生成する熱起電力生成部とを備え、
外部から前記電力が得られない場合には、前記電力供給部は、前記熱起電力生成部により生成された前記電力を前記電力供給状態報知部へ供給し、その電力を用いて、前記電力供給状態報知部は外部からの前期電力を得ていないことを報知することを特徴とするプロジェクタ。
【発明の詳細な説明】
【０００１】
【発明の属する技術分野】
本発明は、プロジェクタに関し、詳しくは、プロジェクタの投写表示に関わる表示パラメータを保持する技術に関する。
【０００２】
【従来の技術】
画像を投写表示するための装置としてプロジェクタがある。プロジェクタは、一般に、光源からの光を液晶パネルなどの光変調装置を利用して変調し、変調された光をスクリーンに投写することにより画像を表示する。ユーザは、プロジェクタで画像を適切に投写表示するために、例えばプロジェクタに設けられたタッチパネルを用いて、投写画像のキーストーン補正値、投写画像の色調、投写画像の明るさ、投写画像の濃淡、投写画像のＶＧＡやＸＧＡ等の表示モード等様々な表示に関する情報を設定する。これら表示に関する情報は、プロジェクタ内部では表示パラメータとして記憶され、画像の投写表示の際に反映される。
【０００３】
この表示パラメータは、プロジェクタに設けられた不揮発性のメモリ領域に格納され、プロジェクタが作動している時にはいつでも投写表示の制御に参照されてもいいように、不揮発性のメモリ領域からプロジェクタ内部にある揮発性のメモリ領域に書き込まれて保持される。この揮発性のメモリ領域に保持された表示パラメータは、その後、ユーザが表示に関する情報を変更した場合に、その変更に応じて更新される。そして、更新されたその表示パラメータは、例えば、プロジェクタの動作終了前などに不揮発性のメモリ領域に書き戻される（以下、このような書き戻しを待避処理という）。これらの処理を行うため、このプロジェクタには、外部電源から電源コードを通じて各部位に電力が供給されている。
【０００４】
しかし、上記のプロジェクタは停電が発生したり、誤って電源コードを抜いてしまったりして、突然に、外部電源から電力が得られなくなると、プロジェクタの各部位に電力が供給されなくなる。
【０００５】
このような問題を解決する技術として、下記特許文献１に記載のものがある。
【０００６】
【特許文献１】
実開平４−１３０８７１号公報
【０００７】
特許文献１に記載のプロジェクタでは、外部電源から電力が得られなくなった場合でも、画像投写用の光源からの熱を用いて電力を生成し、この電力を用いて冷却部の駆動電力として光源を冷却することができるものであった。
【０００８】
【発明が解決しようとする課題】
しかしながら、上述のプロジェクタでは、光源の冷却についてしか考慮されていないため、突然に、外部電源から電力が得られなくなると、揮発性のメモリ領域に表示パラメータを保持することができなくなるという問題があった。
【０００９】
従って、本発明の目的は、上記した従来技術の問題点を解決し、停電が発生したり、誤って電源コードを抜いてしまったりして、突然に外部電源から電力が得られなくなった場合でも、表示パラメータを保持することが可能なプロジェクタを提供することにある。
【００１０】
【課題を解決するための手段およびその作用・効果】
上記した目的の少なくとも一部を達成するために、本発明の第１のプロジェクタは、画像を投写表示するプロジェクタであって、
前記画像の投写表示に用いる光源と、
表示パラメータを格納する表示パラメータ格納部と、
前記表示パラメータ格納部より読み出された前記表示パラメータを一時的に保持する表示パラメータ保持部と、
外部から得られる電力を少なくとも前記表示パラメータ保持部に供給する電力供給部と、
前記光源から発せられる熱を用いて電力を生成する熱起電力生成部と、
前記表示パラメータ保持部に保持された前記表示パラメータを参照して投写表示の制御を行うコントロール部とを備え、
外部から前記電力を得られない場合には、前記電力供給部は、前記熱起電力生成部により生成された電力を前記表示パラメータ保持部に供給することを要旨とする。
【００１１】
このように、本発明の第１のプロジェクタによれば、停電が発生したり、プロジェクタ１００の電源コードが抜かれるなどして、電力供給部が外部から電力が得られなくなった場合でも、熱起電力生成部により生成された電力が表示パラメータ保持部に供給される。従って、表示パラメータ保持部で保持されている表示パラメータが消去されることなく、そのまま継続し保持されるので、その後外部から電力が得られるようになり、プロジェクタが画像を投写表示可能な状態になれば、コントロール部は、すぐさまこの表示パラメータを投写表示の制御に参照することができる。
【００１２】
表示パラメータとしては、投写画像のキーストーン補正値、投写画像の色調、投写画像の明るさ、投写画像の濃淡、投写画像のＶＧＡやＸＧＡ等の表示モードなど投写表示に関わる種々のパラメータが存在する。また、表示パラメータ保持部としては、読み書き速度が速い揮発性のメモリが適している。さらに、表示パラメータ格納部としては、電力が供給されなくても記憶を維持できる不揮発性メモリが適している。
【００１３】
係る本発明の第１のプロジェクタにおいて、前記表示パラメータ保持部に保持されている前記表示パラメータは、外部からの指示に従って更新されてもよい。
【００１４】
このようにすれば、上記のように外部から電力を得られない場合でも、表示パラメータ保持部に保持されている表示パラメータは継続して保持されるので、外部からの指示に従って更新されて、表示パラメータ格納部に格納されている表示パラメータとは異なるものになっても、消去されることなく、そのまま継続されて保持される。
【００１５】
係る本発明の第１のプロジェクタにおいて、前記コントロール部は、所定条件の下で、前記表示パラメータ保持部に保持された前記表示パラメータを前記表示パラメータ格納部に格納し、
外部から前記電力が得られない場合には、前記電力供給部は、前記熱起電力生成部により生成された前記電力を前記表示パラメータ格納部及び前記コントロール部に供給してもよい。
【００１６】
このようにすれば、外部から電力を得られない場合でも、コントロール部は、表示パラメータ保持部に保持された表示パラメータを、表示パラメータ格納部に格納することができる。
【００１７】
係る本発明の第１のプロジェクタにおいて、前記光源を冷却する冷却部を備え、
外部から前記電力が得られない場合には、前記電力供給部は、前記熱起電力生成部により生成された電力を前記冷却部へ供給してもよい。
【００１８】
このようにすれば、外部から電力を得られない場合でも、冷却部は光源を冷却することができる。
【００１９】
係る本発明の第１のプロジェクタにおいて、外部から前記電力を得ているかどうかを報知する電力供給状態報知部を備え、
外部から前記電力が得られない場合には、前記電力供給部は、前記熱起電力生成部により生成された前記電力を前記電力供給状態報知部へ供給し、その電力を用いて、前記電力供給状態報知部は外部からの前記電力を得ていないことを報知してもよい。
【００２０】
このようにすれば、外部から電力を得られていない場合、電力供給状態報知部は、熱起電力生成部で生成された電力を用いてその旨を報知することができる。
【００２１】
係る本発明の第１のプロジェクタにおいて、前記熱起電力生成部は、ゼーベック素子を備えていることが好ましい。
【００２２】
このようにすれば、熱起電力生成部は、光源から発せられた熱を用いてゼーベック効果により電力を生成することができる。
【００２３】
上記した目的の少なくとも一部を達成するために、本発明の第２のプロジェクタは、画像を投写表示するプロジェクタであって、
前記画像の投写表示に用いる光源と、
外部から得られる電力を供給する電力供給部と、
外部から電力を得ているかどうかを報知する電力供給状態報知部と、
前記光源から発せられる熱を用いて電力を生成する熱起電力生成部とを備え、
外部から前記電力が得られない場合には、前記電力供給部は、前記熱起電力生成部により生成された前記電力を前記電力供給状態報知部へ供給し、その電力を用いて、前記電力供給状態報知部は外部からの前期電力を得ていないことを報知することを要旨とする。
【００２４】
このようにすれば、外部から電力を得られていない場合、電力供給状態報知部は、熱起電力生成部で生成された電力を用いてその旨を報知することができる。
【００２５】
【発明の実施の形態】
図１は、本発明を適用した実施例としてのプロジェクタ１００の概略構成を示す説明図である。プロジェクタ１００は、コントロール部１１３と、光変調装置としての液晶パネル１３０と、外部から入力される画像信号ＶＳ１を処理する画像処理部１１１と、画像処理部１１１から出力される画像信号に基づいて液晶パネル１３０を駆動する液晶パネル駆動部１１２と、光源ランプ９２を備える光源ランプユニット９５と、光源ランプ９２を駆動するランプ駆動部６０と、光源ランプ９２から照射され、液晶パネル１３０で変調された光をスクリーンＳＣＲ上に投写する投写光学系８０とを備えている。
【００２６】
また、プロジェクタ１００は、画像の投写表示に関する表示パラメータを格納する表示パラメータ格納部１０と、表示パラメータ格納部１０から読み出された表示パラメータが一時的に保持される表示パラメータ保持部１２０とを備えている。
【００２７】
さらに、プロジェクタ１００は、ユーザが投写表示に関する情報を入力する表示パラメータ入力部３０と、光源ランプ９２を冷却するためのファン部４０と、電力供給部Ａ７０と、外部電源から電力を得られていないことを報知する電力供給状態報知部２０と、電力供給部Ｂ７１と、を備えている。
【００２８】
電力供給部Ａ７０は、表示パラメータ保持部１２０、コントロール部１１３、表示パラメータ格納部１０、表示パラメータ入力部３０、電力供給状態報知部２０及びファン部４０に電力を供給している。電力供給部Ｂ７１は、電力供給部Ａ７０が供給する部位以外の部位、例えば、画像処理部１１１や液晶パネル駆動部１１２、液晶パネル１３０、ランプ駆動部６０などへ電力を供給している。
【００２９】
また、プロジェクタ１００は、熱起電力生成部２００を備えている。この熱起電力生成部２００についての詳細は後述する。
【００３０】
コントロール部１１３は、ＣＰＵやＲＯＭ、ＲＡＭ等のメモリを含むコンピュータで構成されており、ＲＯＭ内に格納された種々のプログラムに従って、プロジェクタ１００の各動作の制御を行う。例えば、画像を投写表示するために、ランプ駆動部６０、画像処理部１１１、液晶パネル駆動部１１２、表示パラメータ格納部１０、表示パラメータ保持部１２０の各動作を制御する。また、光源の冷却のためにファン部４０の制御を行う。さらに、外部電源から電力を得られていないことを報知するために、電力供給状態報知部２０の制御を行う。
【００３１】
表示パラメータは、プロジェクタ１００の電源スイッチ（図示せず）がオフされている状態にある場合には、不揮発性メモリである表示パラメータ格納部１０に格納されている。
【００３２】
以下、図１のプロジェクタ１００の動作について説明する。
プロジェクタ１００の電源スイッチ（図示せず）がオンされて、初期動作が開始されると、コントロール部１１３は、表示パラメータ格納部１０から表示パラメータを読み出して、揮発性メモリである表示パラメータ保持部１２０へ書き込み、一時的に保持する。また、コントロール部１１３は、ランプ駆動部６０を制御して光源ランプ９２を点灯させる。
【００３３】
その後、初期動作が終了し、外部から画像処理部１１１に画像信号ＶＳ１が入力されると、コントロール部１１３は、表示パラメータ保持部１２０に一時的に保持されている表示パラメータを参照しながら、画像処理部１１１を制御し、画像信号ＶＳ１に所望の画像処理を行う。この処理された画像信号は、画像処理部１１１より出力され、液晶パネル駆動部１１２へ送られる。そして、コントロール部１１３は、液晶パネル駆動部１１２を制御し、画像処理部１１１より送られてきた画像信号に従って液晶パネル１３０を駆動させる。
【００３４】
光源ランプ９２から照射された光は、上記のごとく駆動された液晶パネル１３０で変調される。この液晶パネル１３０は、変調した光として、画像を表す光（以下、画像光と呼ぶ）を射出し、投写光学系８０は、その画像光をスクリーンＳＣＲに投写して、スクリーンＳＣＲ上に画像を表示する。
【００３５】
従って、コントロール部１１３は表示パラメータ保持部１２０に一時的に保持されている表示パラメータを参照しながら、投写表示の制御を行う。
【００３６】
一方、ユーザが表示パラメータ入力部３０（例えば、タッチパネル）を介して、色調、明るさなど、投写表示に関する情報を入力すると、コントロール部１１３は、その情報を対応する表示パラメータに変換し、表示パラメータ保持部１２０に保持されている表示パラメータを、その変換して得られた新しい表示パラメータに更新する。従って、これ以降、コントロール部１１３は、表示パラメータ保持部１２０の更新された新たな表示パラメータを参照して、画像処理部１１１、液晶パネル駆動部１１２などの各制御を行い画像の投写表示を行う。この結果、投写表示された画像は、ユーザの入力した投写表示に関する情報に応じた表示状態に変更される。例えば、ユーザが投写表示に関する情報として、投写画像について所望の色調を入力すると、投写表示される画像の色調が変更される。なお、ユーザが他の投写表示に関する情報として、投写画像のキーストーンの補正値、投写画像の明るさ、投写画像の濃淡、投写画像のＶＧＡやＸＧＡ等の表示モード、などを入力した場合も同様に変更される。
【００３７】
プロジェクタ１００の電源スイッチ（図示せず）がオフされた場合には、プロジェクタ１００は終了動作に入る。この終了動作時に、コントロール部１１３は、表示パラメータ保持部１２０に保持されている表示パラメータを表示パラメータ格納部１０に格納する待避処理を行う。
【００３８】
次に図２について説明する。図２は、本発明の電力供給部Ａ７０の概略構成を示す説明図である。図２に示す本発明の電力供給部Ａ７０は、定電圧発生回路Ａ３００と、定電圧発生回路Ｂ４００と、ダイオードＤ１、ダイオードＤ２、ダイオードＤ３、ダイオードＤ４とから構成されている。電力供給部Ａ７０には、表示パラメータ保持部１２０、コントロール部１１３、表示パラメータ入力部３０、電力供給状態表示部２０、表示パラメータ格納部１０へ電力を供給するために、外部電源からの電力をダイオードＤ１を介して供給する経路Ａと、熱起電力生成部２００から得られる電力を定電圧発生回路Ａ３００でレギュレートし、ダイオードＤ２を介して供給する経路Ｂが存在する。さらに、電力供給部Ａ７０には、ファン部４０へ電力を供給するために、外部電源からの電力をダイオードＤ３を介して供給する経路Ｃと、熱起電力生成部２００から得られる電力を定電圧発生回路Ｂ４００でレギュレートし、ダイオードＤ４を介して供給する経路Ｄとが存在する。
【００３９】
定電圧発生回路Ａ３００は、表示パラメータ保持部１２０、コントロール部１１３、表示パラメータ入力部３０、電力供給状態表示部２０、表示パラメータ格納部１０へ適した電圧を、定電圧発生回路Ｂ４００は、ファン部へ適した電圧を供給可能な回路構成になっている。例えば、定電圧発生回路Ａ３００又は定電圧発生回路Ｂ４００は、３端子レギュレータやスイッチングレギュレータ等の種々のレギュレータ、ＤＣＤＣコンバータ、チャージポンプなどが用いられる。
【００４０】
熱起電力生成部２００は、放熱板２２０を備えたゼーベック素子２１０で構成されている。ゼーベック素子２１０は、リフレクタ９３の裏面であって、光源ランプ９２の近傍に設けられており、モールでリフレクタ９３に固定されている。ゼーベック素子２１０の一方の面は、リフレクタ９３に接しており、ゼーベック素子２１０のもう一方の面は、放熱板２２０の片面と接している。
【００４１】
熱起電力生成部２００では、光源ランプ９２が発する熱を電力に変換している。すなわち、光源ランプ９２が点灯している時には、光源ランプ９２から非常に高温な熱が放射され、その熱がリフレクタ９３を介して、リフレクタ９３に接するゼーベック素子２１０の一方の面に伝達されるので、その面は高温になる。一方、ゼーベック素子２１０のもう一方の面は、放熱板２２０と接しており、放熱板を伝って、熱が大気中に放出されるので、放熱板２２０に接する面は、リフレクタ９３に接する面と比べて、低温になる。ゼーベック素子２１０は、これら両面の温度差により、ゼーベック効果が生じて熱起電力を生成する。
【００４２】
熱起電力生成部２００で生成された熱起電力は、電力供給部Ａ７０に供給される。この電力は、定電圧発生回路Ａ３００でレギュレートされた後、ダイオードＤ２に印加され、また、この電力は、定電圧発生回路Ｂ４００でレギュレートされた後、ダイオードＤ４に印加される。
【００４３】
一方、外部電源から得られた電力も電力供給部Ａ７０に供給される。この電力は、それぞれダイオードＤ１、ダイオードＤ３に印加される。
ここで、電力供給部Ａ７０は、外部電源から電力が供給されダイオードＤ１に印加されている場合に、定電圧発生回路Ａ３００から出力される電位と、Ｘ点の電位との差が、ダイオードＤ２の順方向電圧より小さくなるように構成されている。同様に、電力供給部Ａ７０は、外部電源から電力が供給されダイオードＤ３に印加されている場合に、定電圧発生回路Ｂ４００から出力される電位と、Ｙ点との電位差が、ダイオードＤ４の順方向電圧より小さくなるように構成されている。従って通常は、外部電源からの電力が、ダイオードＤ１及びダイオードＤ３を介して上記の各部に供給され、熱起電力生成部２００からの電力は、ダイオードＤ２及びダイオードＤ４によって制限され、ほとんど供給されない。
【００４４】
しかし、停電が発生したり、プロジェクタ１００の電源コード（図示せず）が抜かれるなどして、外部電源からの電力の供給が停止した場合には、定電圧発生回路Ａ３００から出力される電位とＸ点の電位との差がダイオードＤ２の順方向電圧より大きくなるので、ダイオードＤ２に印加されている電力が経路Ｂを介して、表示パラメータ保持部１２０、コントロール部１１３、表示パラメータ入力部３０、電力供給状態表示部２０、表示パラメータ格納部１０へ供給される。つまり、外部電源から電力の供給がされない場合には、熱起電力生成部２００により生成された電力が表示パラメータ保持部１２０、コントロール部１１３、表示パラメータ入力部３０、電力供給状態報知部２０、表示パラメータ格納部１０へ供給される。
【００４５】
従って、停電が発生したり、プロジェクタ１００の電源コードが抜かれるなどして外部電源からの電力の供給が停止した場合であっても、熱起電力生成部２００により生成された電力が表示パラメータ保持部１２０へ供給されるので、表示パラメータ保持部１２０で保持されている表示パラメータは消滅することなく、そのまま継続して保持される。その後、停電が回復したり、電源コードが差し込まれたりして、外部電源からプロジェクタ１００に再び電力が供給されて、画像を投写表示することが可能な状態になれば、コントロール部１１３は、投写表示の制御のために、すぐさま、表示パラメータ保持部１２０で保持されている表示パラメータを参照することができる。
【００４６】
また、ユーザによって表示パラメータ保持部１２０の表示パラメータが更新されていた場合でも、その更新された表示パラメータを表示パラメータ保持部で保持することができる。
【００４７】
さらに、同様に外部電源からの電力の供給が停止した場合であっても、熱起電力生成部２００により生成された電力が表示パラメータ保持部１２０、コントロール部１１３、表示パラメータ格納部１０へ供給されるので、コントロール部１１３は、表示パラメータ保持部１２０に保持されている表示パラメータを表示パラメータ格納部１０に格納する待避処理を行うことができる。
【００４８】
一方、電力供給状態報知部２０は、点滅や点灯が可能なＬＥＤと、Ｚ点を流れる電流を測定する電流測定部（図示せず）を備えており、Ｚ点の電流値を所定条件（例えば、１秒ごと）のもと測定している。停電が発生したり、プロジェクタ１００の電源コードが抜かれるなどして外部電源からの電力の供給が停止した場合には、Ｚ点を電流が流れないので、電流測定部の電流測定結果より、電力供給状態報知部２０は、外部電源から電力が供給されてないことを把握する。また、この場合、外部電源から電力が供給されてないことになるが、電力供給状態報知部２０は、熱起電力生成部２００から電力が供給されるため、動作状態が継続される。そこで、電力供給状態報知部２０は、ユーザに外部電源から電力が供給されてない旨をＬＥＤを点灯させたり、点滅させることなどにより報知する。この結果、ユーザは、例えば、プロジェクタ１００の動作中に、プロジェクタ１００の電源コード（図示せず）を間違って外部電源から抜いた場合には、このＬＥＤの点灯や点滅を見て、電源コードをもう一度外部電源に接続するなどの、適切な処置をすることが可能となる。
【００４９】
また、同様に外部電源からの電力の供給が停止した場合には、定電圧発生回路Ｂ４００から出力される電位とＹ点の電位との差がダイオードＤ４の順方向電圧より大きくなるので、ダイオードＤ４に印加されている電力が経路Ｄを介して、ファン部４０へ供給される。つまり、外部電源から電力の供給がされない場合には、熱起電力生成部２００により生成された電力がファン部４０へ供給される。
【００５０】
従って、停電が発生したり、プロジェクタ１００の電源コード（図示せず）が抜かれるなどした場合であっても、ファン部４０を作動させて光源ランプ９２を冷却することができる。
【００５１】
なお、本発明では、上記した実施の形態に限られるものではなく、その要旨を逸脱しない範囲において種々の態様にて実施することが可能である。
【００５２】
本実施の形態において、光源に利用される光源ランプは、プロジェクタによる表示画像はより明るいことが好ましく、高圧水銀放電ランプ、メタルハライドランプ、ハロゲンランプ等の高輝度出力が可能なランプが適している。
【００５３】
本実施の形態では、表示パラメータ保持部１２０は、揮発性のメモリが適しているが、例えば、ＳＤＲＡＭ、ＤＲＡＭ、ＥＥＰＲＯＭなどがある。また、表示パラメータ格納部１０は、不揮発性のメモリが適しているが、例えば、光磁器ディスク、磁器ディスク、磁器テープ、フラッシュメモリ、ＣＤ−ＲＷ、ＤＶＤ−ＲＷ、ＳＲＡＭ、ＰＤ、Ｚｉｐ、ＭＯなどがある。
【００５４】
本実施の形態に限られず、例えば、停電が発生したり、プロジェクタ１００の電源コードが抜かれるなどして外部電源からの電力の供給が停止した場合であっても、ユーザは表示パラメータ入力部３０を介して投写表示に関する情報を入力することができ、コントロール部１１３は、その情報を対応する表示パラメータに変換し、表示パラメータ保持部１２０に保持されている表示パラメータを、その変換して得られた新しい表示パラメータに更新することができる。その後、停電が回復したり、電源コードが差し込まれたりして、外部電源からプロジェクタ１００に再び電力が供給されて、画像を投写表示することが可能な状態になれば、コントロール部１１３は、投写表示の制御のために、すぐさま、表示パラメータ保持部１２０で保持されている表示パラメータを参照することができる。
【００５５】
本実施の形態では、表示パラメータ保持部１２０は、コントロール部１１３の外部に存在しているが、コントロール部１１３の内部に存在してもよい。例えば、表示パラメータ保持部１２０は、コントロール部１１３に備えられたＲＡＭ等のメモリ領域に存在してもよい。この場合には、電力は電力供給部Ａ７０からコントロール部１１３を介して供給されることになる。
【００５６】
本実施の形態では、コントロール部１１３は、終了動作時に表示パラメータ保持部１２０に保持されている表示パラメータを表示パラメータ格納部１０に格納する待避処理を行っているが、この場合に限られるものない。この待避処理は、一定時間の間隔ごと（例えば、５分ごと）でもよいし、表示パラメータ保持部１２０の表示パラメータが更新された際に行ってもよい。
【００５７】
本実施の形態の熱起電力生成部２００において、ゼーベック素子２１０をリフレクタ９３に固定する際に、モールを用いて固定しているが、それに限られず熱伝導性がよい接着剤でもよい。
【００５８】
本実施の形態の表示パラメータ入力部３０は、タッチパネルとなっているがこれに限定されるものではない。表示パラメータ入力部３０は、リモコンで操作できるようになっていてもよい。
【００５９】
本実施の形態の電力供給状態報知部２０が報知する際には、ＬＥＤを点滅や点灯でさせるようにしていたがこれに限られるものではない。電力供給状態報知部２０に音源部とスピーカーを設けて、音で報知してもよい。
【００６０】
本実施の形態の熱起電力生成部２００はリフレクタ９３に設けられているが、これに限られるものではなく、高温を有する部分であればどこでもよい。例えば、光源ユニット９２の側面に設けられてもよい。
【図面の簡単な説明】
【図１】本発明を適用した実施例としてのプロジェクタ１００の概略構成を示す説明図である。
【図２】図１の電力供給部Ａ７０の概略構成を示す説明図である。
【符号の説明】
ＶＳ１…映像信号
ＳＣＲ…スクリーン
１０…表示パラメータ格納部
２０…動作状態報知部
３０…表示パラメータ入力部
４０…ファン部
６０…ランプ駆動部
７０…電力供給部Ａ
７１…電力供給部Ｂ
８０…投写光学系
９２…光源ランプ
９３…リフレクタ
９５…光源ランプユニット
１００…プロジェクタ
１１１…画像処理部
１１２…液晶パネル駆動部
１１３…コントロール部
１２０…表示パラメータ保持部
１３０…液晶パネル
２００…熱起電力部生成部
２１０…ゼーベック素子
２２０…放熱板
３００…定電圧発生回路Ａ
４００…定電圧発生回路Ｂ
Ｄ１〜Ｄ４…ダイオード
Ａ…経路Ａ
Ｂ…経路Ｂ
Ｃ…経路Ｃ
Ｄ…経路Ｄ
【図１】
2004317774.tif 000003
【図２】
2004317774.tif 000004